(57)【要約】    【課題】  簡易な構成、容易な方法によって粗集カゴ（ザル）と水封構造の両方を備えることができ、既存の排水設備において、かかるザルと水封構造の両方を備えた排水構造に容易に変更することのできる排水構造用の器具を提供すること。    【解決手段】  排水構造用器具セット１０は、水封構造を構成するための水封管２を備える管体１と、管体１に上方から着脱自在に嵌められるザル体３とを備えてなり、ザル体３は、その底部に水封管２を被覆して水封構造を構成するための被覆部４が設けられ、またその側部にザル目状の透水部５が設けられてなる構成とする。【選択図】  図１
0003217322.tif 000002
【実用新案登録請求の範囲】
【請求項１】
水封構造を構成するための水封管を備える管体と、該管体に上方から着脱自在に嵌められるザル体とを備えてなる排水構造用器具セットであって、
該ザル体は、その底部に該水封管を被覆して水封構造を構成するための被覆部が設けられ、またその側部にザル目状の透水部が設けられてなる
ことを特徴とする、排水構造用器具セット。
【請求項２】
前記ザル体の上方は開放端であることを特徴とする、請求項１に記載の排水構造用器具セット。
【請求項３】
前記ザル体の被覆部上面には把手が設けられていることを特徴とする、請求項１または２に記載の排水構造用器具セット。
【請求項４】
前記ザル体に着脱自在に載置される目皿を備えていることを特徴とする、請求項１、２、３のいずれかに記載の排水構造用器具セット。
【請求項５】
請求項１、２、３、４のいずれかに記載の排水構造用器具セットを用いて形成されていることを特徴とする、排水構造。
【考案の詳細な説明】
【技術分野】
【０００１】
本考案は排水構造用器具セットおよび排水構造であり、特に、食品加工場、魚市場、食肉加工市場、その他の衛生管理・異臭対策が要求される施設に設備される排水構造に関する。
【背景技術】
【０００２】
従来、排水構造に関しては、特許出願等による多くの技術的提案がなされている。出願人関連会社も複数の登録を得ており、水封ドレーンに関する技術も開示している。たとえば後掲特許文献１には、洗浄作業など保守管理が便利な、水封管および水封式ドレーン構造として、ジョイント式水封管と、ジョイント式水封管が取り付けられた排水枡と、ジョイント式水封管に被せて水封構造を形成するための卓状構造の被覆部材とからなる構成を開示している。
【０００３】
また、特許文献２には、洗浄作業など保守管理が便利な上、排水枡製品を用いることが不要であり、施工が簡易で工期短縮でき、かつコスト低減も可能な、水封管セットとして、第一管部材と、第一管部材との間で相互に連結可能な第二管部材とからなるジョイント式の構造であって、各管部材には相互に着脱可能に連結するための連結部が設け、また第一管部材には管部の周囲に竪坑底部への設置用のプレート部が設けてある構成を開示している。
【先行技術文献】
【特許文献】
【０００４】
【特許文献１】実用新案登録第３１５３６２８号公報「水封管および水封式ドレーン構造」
【特許文献２】実用新案登録第３１６９６６８号公報「水封管セットおよび水封用構造」
【考案の概要】
【考案が解決しようとする課題】
【０００５】
排水構造では通常、上記文献１中でも示されるように、ある程度のサイズを有する異物等を濾し取って後流側へ流さないようにするための粗集カゴ（ザル）が必ず設けられる。そして、特に異臭防止が必要な場合などには別途、水封構造（水封ドレーン）が備えられる。しかし、ザルはあっても水封構造を別途設けていない設備の場合に、事後的に水封構造を設けるようにすることが煩雑なためにかかる処置がなされずに放置され、異臭発生を効果的に防止できないという問題がある。簡易な構成および施工方法によって、ザルも水封構造も備えた排水設備に容易に変更可能な技術が求められている。
【０００６】
また、排水構造においてザルの前流側、排水の入り口に設けられる孔付きの蓋（目皿）は通常、薄手に造られており、扱い方や負荷の掛かり方によって容易に変形しやすい。特に目皿の側面にねじ込み用の溝を備えて配水管にねじ込むようにしたたネジ式の場合、変形によって脱着不能になる場合があり、改善が必要である。以上の各問題点は、上記文献開示技術のみならず、従来技術一般に共通することである。
【０００７】
そこで本考案が解決しようとする課題は、かかる従来技術の問題点を踏まえ、簡易な構成、容易な方法によって粗集カゴ（ザル）と水封構造の両方を備えることができる、排水構造を提供することである。また本考案の課題は、既存の排水設備において、かかるザルと水封構造の両方を備えた排水構造に容易に変更することのできる、排水構造用の器具を提供することである。そしてこれらによって、排水設備における良好な排水の処理、および異臭発生を効果的に防止することである。加えて本考案の課題は、容易に変形しない蓋（目皿）を備えた排水構造等を提供することである。
【課題を解決するための手段】
【０００８】
本願考案者は上記課題について検討した。その結果、ザル機能と水封機能を併せ備えた構造の器具の構成に想到した。また、目皿は容易に変形しないより厚手の構成とすべきことに想到した。そしてこれらに基づいて、本考案を完成するに至った。すなわち、上記課題を解決するための手段として本願で実用新案登録請求される考案、もしくは少なくとも開示される考案は、以下の通りである。
【０００９】
〔１〕  水封構造を構成するための水封管を備える管体と、該管体に上方から着脱自在に嵌められるザル体とを備えてなる排水構造用器具セットであって、該ザル体は、その底部に該水封管を被覆して水封構造を構成するための被覆部が設けられ、またその側部にザル目状の透水部が設けられてなる
ことを特徴とする、排水構造用器具セット。
〔２〕  前記ザル体の上方は開放端であることを特徴とする、〔１〕に記載の排水構造用器具セット。
【００１０】
〔３〕  前記ザル体の被覆部上面には把手が設けられていることを特徴とする、〔１〕または〔２〕に記載の排水構造用器具セット。
〔４〕  前記ザル体に着脱自在に載置される目皿を備えていることを特徴とする、〔１〕、〔２〕、〔３〕のいずれかに記載の排水構造用器具セット。
〔５〕  〔１〕、〔２〕、〔３〕、〔４〕のいずれかに記載の排水構造用器具セットを用いて形成されていることを特徴とする、排水構造。
【考案の効果】
【００１１】
本考案の排水構造用器具セットおよび排水構造は上述のように構成されるため、これによれば、簡易な構成、容易な方法によって粗集カゴ（ザル）と水封構造の両方を備えた排水構造を提供することができる。また本考案の排水構造用器具セットおよび排水構造によれば、既存の排水設備において、かかるザルと水封構造の両方を備えた排水構造に容易に変更することができる。
【００１２】
そして、これらの効果によって、排水設備における良好な排水の処理、および異臭発生を効果的に防止することができる。さらに本考案の一形態によれば、容易に変形しない目皿を備えた排水構造を提供することができ、より使用しやすい排水設備を提供することができる。
【図面の簡単な説明】
【００１３】
【図１】本考案の排水構造用器具セットの構成例の各部品を示す説明図である。
【図２】図１に係る排水構造用器具セットのザル体の断面図である。
【図３】図１に係る排水構造用器具セットの管体の断面図である。
【図４】図１に係る排水構造用器具セットの使用時形態を示す説明図である。
【図５】本考案の排水構造における水封構造を示す説明図である。
【図６】本考案の排水構造用器具セットに係る目皿の構成例を示す説明図である。
【図７】図２に係る使用時形態に図５に係る目皿をセットした状態を示す説明図である。
【考案を実施するための形態】
【００１４】
以下、図面により本考案を詳細に説明する。
図１は、本考案の排水構造用器具セットの構成例の各部品を示す説明図である。また、図２、３はそれぞれ、図１に係る排水構造用器具セットのザル体、管体の断面図である。これらに示すよう本排水構造用器具セット１０は、水封構造を構成するための水封管２を備える管体１と、管体１に上方から着脱自在に嵌められるザル体３とを備えてなり、ザル体３は、その底部に水封管２を被覆して水封構造を構成するための被覆部４が設けられ、またその側部にザル目状の透水部５が設けられてなることを、主たる構成とする。
【００１５】
図２に示すように本考案排水構造器具セット１０を構成するザル体３の上方は開放端とすることができる。ザル体３の上方を開放端とせずに、ここに側部における透水部５と同様機能のザル状の目皿構造としてもよい。しかしながら、管体１へのザル体３の着脱の便利さ、使用時における清掃や保守作業時の便利さ等を考慮すると、図示するように開放端とすることがより望ましい。
【００１６】
また、ザル体３は図示するように、被覆部４上面側に把手６を設ける構成としてもよい。把手６が無い場合であっても本考案の範囲内であるが、上述した管体１へのザル体３の着脱の便利さ、使用時における清掃や保守作業時の便利さ等のために、把手６を有することがより望ましい。
【００１７】
図４は、図１に係る排水構造用器具セットの使用時形態を示す説明図である。図１等に示した構成の本排水構造用器具セット１０は、図４に示すように、管体１に上方からザル体３が嵌め込まれた形態で排水構造２０が形成され、用いることができ、用法は至って簡単である。ザル体３は、管体１のザル体係止部１４上に載置することでセットされる。
【００１８】
これによって、後述する水封作用と、ザル体３による粗集作用とを同時に得ることができる。ザル体３の透水部５を構成する孔のサイズに引っ掛かる固形物等はザル体３内に集められるので、ザル体３を管体１から取り外すことによって容易に固形物等を除去し、またセットし直して用いることができる。
【００１９】
図５は、本考案の排水構造における水封構造を示す説明図である。図示するように本考案排水構造用器具セット１０の管体１にザル体３が嵌め込まれることで、管体１の水封管２とザル体３の被覆部４とにより水封構造１５が形成される。なお、管体１のザル体係止部１４に載置された際の被覆部４の側面部の高さと、水封管２の高さとの関係が、両者による水封構造１５の形成がなされる条件を満たすように、被覆部と水封管２は形成されるものとする。
【００２０】
かかる構成により、排水構造用器具セット１０の各部品１、３を単純に組合わせることで形成される本排水構造２０では、ザル体３による排水中の固形物等の粗集作用と、水封構造１５による異臭発生防止作用の双方を得ることができる。また、後流側の配水管へは、接続部１９により接続される。また、本排水構造２０はコンクリート等による埋設環境中に埋設された状態で用いることができ、この場合、排水構造２０の変形は生じず、安定的に使用することができる。
【００２１】
図６は、本考案の排水構造用器具セットに係る目皿の構成例を示す説明図である。また、図７は、図２に係る使用時形態に図６に係る目皿をセットした状態を示す説明図である。図示するように本排水構造用器具セットは、ザル体２３に着脱自在に載置される目皿２７を備えた構成とすることができる。目皿２７はザル体２３上に載置されて用いられる。かかる構成によって形成される排水構造２２０もまた、本考案の範囲内である。
【００２２】
目皿２７は図示するように、これを着脱しやすくするための凹部２８を設けた構造とすることができる。これにより、凹部２８に指を掛ける等して着脱することができ、便利である。また、目皿２７は従来の目皿よりも厚手に形成されるものとすることができる。具体的な厚さは限定されないが、設置・使用時において容易には変形しない程度以上の厚さとすることが望ましい。また、固定にはネジ式を用いず、ただザル体２３上に載置するだけとすることにより、設置も容易化することができる。
【産業上の利用可能性】
【００２３】
本考案の水封用の構造と粗集カゴを一体化したザル体を備えた排水構造用器具セット、および排水構造によれば、簡易な構成、容易な方法によって粗集カゴ（ザル）と水封構造の両方を備えた排水構造を提供でき、既存の排水設備においてザルと水封構造の両方を備えた排水構造に容易に変更することができる。それによって、排水設備における良好な排水の処理、および異臭発生を効果的に防止することができる。したがって、食品加工場、魚市場、食肉加工市場、その他の衛生管理・異臭対策が要求される施設に設備される排水構造などの排水設備製造・施工分野、および関連する全分野において、産業上利用性が高い考案である。
【符号の説明】
【００２４】
１、２１…管体
２…水封管
３、２３…ザル体
４…被覆部
５…透水部
６…把手
１０…本排水構造用器具セット
１４…ザル体係止部
１５…水封構造
１８…目皿載置部
１９…後流側配水管への接続部
２０、２２０…排水構造
２７…目皿（蓋）
２８…目皿の凹部
【図１】
0003217322.tif 000003
【図２】
0003217322.tif 000004
【図３】
0003217322.tif 000005
【図４】
0003217322.tif 000006
【図５】
0003217322.tif 000007
【図６】
0003217322.tif 000008
【図７】
0003217322.tif 000009